(57)【要約】【課題】実際の稼動時間に基づいてより精度の高いリサイクルの可否判定が可能となる電子部品通電時間出力装置、遊技機用電子装置、及び通電時間蓄積プログラムを提供し、環境保全への貢献と遊技機のコストダウンを図る。【解決手段】電子部品通電時間出力装置として、遊技機に装着の電子装置の所定部位に接続する接続手段と、時間を計測する計測手段と、情報を記憶する記憶手段と、前記電子装置に関する通電時間を前記計測手段で計測して該計測に基づく計測情報を前記記憶手段に格納する制御手段と、外部から要求を受け付ける受付手段と、該要求に基づいて上記計測情報を出力する出力手段とを備えた。【選択図】    図８
2004261268.tif 000002
【特許請求の範囲】
【請求項１】
遊技機に装着の電子装置の所定部位に接続する接続手段と、
時間を計測する計測手段と、
情報を記憶する記憶手段と、
前記電子装置に関する通電時間を前記計測手段で計測して該計測に基づく計測情報を前記記憶手段に格納する制御手段と、
外部から要求を受け付ける受付手段と、
該要求に基づいて上記計測情報を出力する出力手段とを備えた
電子部品通電時間出力装置。
【請求項２】
前記電子装置を、電子部品を配設した電装基板とし、
前記接続手段を、上記電子部品の電源線に接続可能に構成した
請求項１記載の電子部品通電時間出力装置。
【請求項３】
前記受付手段及び出力手段を、外部と通信を行う通信手段で形成した
請求項１又は２記載の電子部品通電時間出力装置。
【請求項４】
前記計測情報を出力する出力処理として、前記制御手段の制御により前記通信手段が所定情報を送信する送信処理を設定し、
上記所定情報を、予め定めた情報種別に制限した
請求項３記載の電子部品通電時間出力装置。
【請求項５】
前記記憶手段に格納する計測情報に対する不正アクセスを防止する計測情報保護手段を備えた
請求項１から４のいずれか１つに記載の電子部品通電時間出力装置。
【請求項６】
請求項１から５のいずれか１つに記載の電子部品通電時間出力装置を搭載した遊技機用電子装置。
【請求項７】
記憶手段に対して、外部から改竄されないように通電時間を格納する改竄防止処理を実行する
通電時間蓄積プログラム。
【発明の詳細な説明】
【０００１】
【発明の属する技術分野】
この発明は、例えばパチンコ機やパチスロ機等の遊技機に装着する遊技機用電子装置、該電子装置に関する通電時間を出力するような電子部品通電時間出力装置、及び通電時間蓄積プログラムに関する。
【０００２】
【従来の技術】
従来、遊技場から回収された遊技機は廃棄されることが多かったが、近年環境問題への取り組みから、遊技機に取り付けられている電装基板、電装部品の再利用が試みられている。
【０００３】
再利用を行うには、回収された電装基板、電装部品の残り寿命を正確に判断する必要がある。また残り寿命を判断するためには、例えば電装基板や電装部品に貼付されたシリアル番号から製造年月日を割り出し、遊技場での稼動時間を推定する必要がある。
【０００４】
このような方法によりリサイクルを行うためのリサイクル支援装置としては、記憶装置に製造年月日等のリサイクル情報を格納しておき、遊技機構成部品に貼り付けたバーコードの識別子に対応するリサイクル情報を出力するものが提案されている（特許文献１参照）。
【０００５】
【特許文献１】
特開２００２−１１３１７０号公報。
【０００６】
【発明が解決しようとする課題】
しかし、製造年月日から残り寿命を判定する場合は、流通在庫期間も稼動時間に含まれることになり、正確な稼働時間や正確な残り寿命を判断することができず、稼動時間の短い回収品も再利用不可能という判断がなされてしまう問題点があった。
【０００７】
また、シリアル番号の読み取りは、バーコードによって行われることが多いが、回収された遊技機のバーコードは汚れ、破損されている場合も多く、製造年月日の特定も困難な場合が多いという問題点もあった。
【０００８】
この発明は、上述の問題に鑑みて、実際の稼動時間に基づいてより精度の高いリサイクルの可否判定が可能となる電子部品通電時間出力装置、遊技機用電子装置、及び通電時間蓄積プログラムを提供し、環境保全への貢献と遊技機のコストダウンを図ることを目的とする。
【０００９】
【課題を解決するための手段】
この発明は、遊技機に装着の電子装置の所定部位に接続する接続手段と、時間を計測する計測手段と、情報を記憶する記憶手段と、前記電子装置に関する通電時間を前記計測手段で計測して該計測に基づく計測情報を前記記憶手段に格納する制御手段と、外部から要求を受け付ける受付手段と、該要求に基づいて上記計測情報を出力する出力手段とを備えた電子部品通電時間出力装置であることを特徴とする。
【００１０】
前記遊技機は、パチンコ機やパチスロ機等の遊技機で構成することを含む。  前記電子装置は、電解コンデンサ（平滑用コンデンサ）やＤＣ／ＤＣコンバータ等の電子部品を装着した電装基板、又は上記電子部品等、電子的な装置で構成することを含む。
【００１１】
前記所定部位は、上記電子部品への電源線、その他の配線部とすることを含む。
前記接続手段は、上記所定部位に接続する接点端子等、電気的に接続する手段で構成することを含む。
【００１２】
前記計測手段は、クロックとカウンタ等、時間を計測可能な装置で構成することを含む。
【００１３】
前記記憶手段は、ＦＲＡＭ（Ｆｅｒｒｏｅｌｅｃｔｒｉｃ  Ｒａｎｄｏｍ  Ａｃｃｅｓｓ  Ｍｅｍｏｒｙ）やＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリ（半導体メモリ）で構成することを含む。なお、ＦＲＡＭのように部分的な書き換えができる不揮発性メモリが望ましい。
【００１４】
前記通電時間は、電子装置内の１以上の電子部品に対する通電時間、あるいは電子装置全体に対する通電時間で構成することを含む。なお、該通電時間は、電子装置内で寿命が短い電子部品や通電時間が長い電子部品に対する通電時間とすることができ、特に寿命が短い電子部品を対象とすることが望ましい。
【００１５】
前記計測情報は、前記通電時間そのもの、あるいは、前記通電時間に対して既に記憶手段に格納している過去の通電時間を加算したもの、若しくは予め記憶手段に格納された寿命時間から前記通電時間を減算した残寿命時間、あるいはこれらの時間を後の処理（例えば外部機器での算出処理等）で判別可能な数値等、計測に基づく情報で構成することを含む。
前記制御手段は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）等の制御手段で構成することを含む。
【００１６】
前記受付手段は、データ受信を行う受信手段（若しくはデータを送受信する通信手段）で構成することを含む。なお、ボタン押下を受け付ける押下ボタンやスイッチＯＮを受け付けるスイッチ等の入力手段で構成しても良い。
前記信号は、データ送信を要求されるデータ信号、あるいは、コマンドを含んだコマンド信号で構成することを含む。
【００１７】
前記出力手段は、データ送信を行う送信手段（若しくはデータを送受信する通信手段）で構成することを含む。なお、ＬＥＤ等の発光体やディスプレイといった表示手段（若しくは表示ランプ）、又は、音声を出力するスピーカ等の発音手段で構成しても良い。
【００１８】
前記出力は、前記通信手段でのデータ送信とすることを含む。なお、該出力は、ＬＥＤ等の発光体を備えて該発光体を発光させる光出力、あるいは、スピーカ等の発音体を備えて該発音体を発音させる音声出力等で構成し、所定条件（例えばリサイクル不可能条件や短期リサイクル可能条件等）に合致したことを報知するように構成しても良い。
【００１９】
この発明の態様として、前記電子装置を、電子部品を配設した電装基板とし、前記接続手段を、上記電子部品の電源線（電源ライン）に接続可能に構成することができる。
前記電装基板は、遊技機の電源用の電装基板等で構成することを含む。
【００２０】
前記電子部品は、電解コンデンサやＤＣ／ＤＣコンバータ等の電子的な部品で構成することを含む。なお、寿命が最も短い電子部品（例えば寿命が短い電解コンデンサ等）や、通電時間が最も長い電子部品等、最短寿命を計測するに適切な電子部品を対象とすることが望ましい。
前記電源線は、電子部品に電力を供給する配線で構成することを含む。
【００２１】
またこの発明の態様として、前記受付手段及び出力手段を、外部と通信を行う通信手段で形成することができる。
前記通信手段は、無線で通信可能な無線通信手段、あるいは、接続端子や接続インタフェース等、有線で通信可能な有線通信手段で構成することを含む。
【００２２】
上記無線通信手段は、電磁波を利用して無線通信するＲＦ−ＩＤタグのアンテナ若しくはコイルアンテナ、又は赤外線を利用して無線通信する赤外線通信装置等、無線通信を行う通信手段で構成することを含む。
【００２３】
なお、無線通信手段で構成する場合には、外部から印加された電磁波により起電力を得る電源手段を備えることが望ましい。また、有線通信手段で構成する場合には、外部から有線通信手段若しくは他の端子等を介して電力供給を受ける構成とするか、ボタン電池等の電源手段を備えていることが望ましい。
【００２４】
またこの発明の態様として、前記計測情報を出力する出力処理として、前記制御手段の制御により前記通信手段が所定情報を送信する送信処理を設定し、上記所定情報を、予め定めた情報種別に制限することができる。
【００２５】
前記所定情報は、計測情報、又は計測情報とＩＤ（例えば電子部品通電時間出力装置のＩＤ、又は／及び遊技機用電子装置のＩＤ）等、予め定めた情報で構成することを含む。
前記情報種別は、計測情報、又は計測情報とＩＤ等、所定の情報の種別で構成することを含む。
【００２６】
またこの発明の態様として、前記記憶手段に格納する計測情報に対する不正アクセスを防止する計測情報保護手段を備えることができる。
前記計測情報保護手段は、計測情報の分割保存、又は、計測情報の暗号化保存を実行する制御手段で構成することを含む。
【００２７】
上記計測情報の分割保存は、記憶手段を複数の区画に予め分割しておき、例えば１ヶ月毎等の所定期間毎に、計測情報を格納する区画を変更して保存する構成とすることを含む。なお、上記区画は想定される電子部品の寿命に基づいて、例えば３年分で３６区画を用意して月毎に１区画を使用するように、効率の良い区画分けとしておくことが望ましい。また、書き込み期間が終了した区画を書き込み不能にロック制御することが望ましい。
【００２８】
上記暗号化保存は、公開鍵方式や共通鍵方式等の暗号化方式によって暗号化したデータを保存する構成とすることを含む。なお、該暗号化に伴って改竄検出用のハッシュ値等を生成して保存しておくことが望ましい。
【００２９】
またこの発明は、前記電子部品通電時間出力装置を搭載した遊技機用電子装置とすることができる。
前記遊技機用電子装置は、電源ユニット、又はゲーム基板等の電装基板、若しくは電子部品で構成することを含む。
【００３０】
またこの発明は、記憶手段に対して、外部から改竄されないように通電時間を格納する改竄防止処理を実行する通電時間蓄積プログラムとすることができる。
前記改竄防止処理は、所定期間毎に通電時間を格納する記憶手段の区画を変更し、格納済みの区画に対してロックをかける処理、あるいは、通電時間を暗号化して記憶手段に格納する処理で構成することを含む。
【００３１】
【発明の効果】
この発明により、製造年月日ではなく実際に稼動した通電時間によってリサイクルの可否を判定可能となり、適切なリサイクル利用を行うことができる。
【００３２】
【発明の実施の形態】
この発明の一実施形態を以下図面と共に説明する。
遊技場には、図１のシステム構成図に示すように、記録媒体清算機２、記録媒体販売機３、データ管理装置４、台間機７、及び遊技機８をケーブル６で接続した遊技システム１を備えている。上記データ管理装置４は、管理センタのホストコンピュータ５に接続しており、価値媒体であるＩＣコイン（又はＩＣカード）の発行情報等を送信している。
【００３３】
前記遊技機８には、パチンコ機とパチスロ機（パチスロ機）等の種類がある。
上記パチンコ機は、利用者が遊技球を遊技球投入装置に投入し、操作装置を操作して遊技球射出装置で遊技球を射出して遊技する。射出された遊技球は、遊技面に設けられた釘で弾かれつつチャッカ装置に入ることで、遊技表示装置のスロットが回転し、停止時に表示している数字や絵柄の揃い方に応じて遊技球が払い出される。
【００３４】
上記パチスロ機は、利用者が遊技メダルをメダル投入装置に投入し、操作装置のスタートボタンを押下すると、駆動装置によってドラムが回転し、停止時に揃った絵柄や数字に応じて遊技メダルが払い出される。
【００３５】
ドラムの回転は前記操作装置の回転停止ボタンにより、利用者が任意のタイミングで停止することができ、パチスロ機内に投入されている遊技メダル数は、表示装置によって常時表示されている。
【００３６】
ドラムが揃った場合の遊技メダルの払い出しは、上記表示装置で表示する遊技メダル数の増加によって行い、利用者にペイアウト（払い出し）ボタンが押下されたときに、全遊技メダルを払い出し口から実際に払い出す。
【００３７】
前記記録媒体清算機２は、遊技球又は遊技メダルを投入すると、その個数を測定して会員カード（ＩＣカード）等に書き込む清算処理を実行する。
前記記録媒体販売機３は、貨幣（紙幣又は硬貨）の投入を受けて、遊技球又は遊技メダルを払い出して販売する。
【００３８】
前記データ管理装置４は、利用者に販売した遊技球や遊技メダルの個数等を管理する。
前記台間機７は、遊技機８に接続しており、遊技球又は遊技メダルの販売等を実行する。
【００３９】
以上の構成により、利用者はパチンコ機やパチスロ機で遊技することができる。なお、この実施形態では、上記パチスロ機を遊技機８の例として説明する。
【００４０】
次に、図２のブロック図と共に、遊技機８を構成する主な装置について説明する。
遊技機２には、制御部１０に接続して、電源装置１５、表示装置１６、ドラムの駆動系である駆動装置１７、遊技の操作系である操作装置１８を設ける。また、該制御部１０には、通信インタフェース１４を介して、データ管理装置４と台間機７を接続する。
【００４１】
前記制御部１０には、演算処理、制御処理を実行するＣＰＵ１１、各処理を行わせるための制御プログラムを格納し書き換え不可能な不揮発性のＲＯＭ１２、動作に必要なデータを記録する揮発性のＲＡＭ１３、データ管理装置４及び台間機７との送受信を許容する通信インタフェース１４を構成する。
【００４２】
前記電源装置１５は、平滑コンデンサ等の電子部品を配設した電装基板であり、外部から供給される電力を適切な動作電力に変換し、各装置に供給する。
前記表示装置１６は、遊技メダルの数（クレジット数）を表示する。
【００４３】
前記駆動装置１７は、パチスロ機のドラムを前記制御部１０の制御に基づいて回転駆動する。
前記操作装置１８は、遊技者が操作を行う事により、例えばパチスロ機のドラム（スロット）の回転開始やドラムを止める等の遊技信号を前記制御部１０に出力する。
【００４４】
以上の構成により、遊技機８は、電源装置１５から各装置に電源供給を受けて、利用者による遊技を許容することができる。
【００４５】
次に、図３に示す回路図と共に、前記電源装置１５の回路について説明する。該電源装置１５は、次の各電子部品で構成する。
【００４６】
コネクタ２１は、交流２４ボルトの電源に接続するコネクタである。
スイッチ２２は、電源のＯＮ／ＯＦＦを切替えるスイッチである。
ヒューズ２３は、大きな電流が流れてきた場合に各電子部品を保護する。
フィルタ２４は、電源に含まれているノイズを除去する。
【００４７】
整流回路２５は、ダイオードブリッジによる全波整流回路である。
ダイオードＤ１，Ｄ２，Ｄ３は、電流を片方向のみ流す半導体部品である。
平滑コンデンサＣ１，Ｃ２，Ｃ３，Ｃ４，Ｃ５，Ｃ６は、直流電流を貯めて平滑にする。
【００４８】
ＤＣ／ＤＣコンバータ２６，２７は、直流入力から異なる電圧の電源を作り出すコンバータであり、ＤＣ／ＤＣコンバータ２６はＤＣ１２Ｖの電源を、ＤＣ／ＤＣコンバータ２７はＤＣ５Ｖの電源を作り出す。
ＲＦ−ＩＤユニット３０は、電子部品である平滑コンデンサＣ１への通電時間を積算するユニットであり、詳細は後述する。
【００４９】
以上の回路により、電源装置１５は、前述した表示装置１６や駆動装置１７等、稼動電圧の異なる各装置に対して適切な電圧で直流若しくは脈流を供給することができる。ＲＦ−ＩＤユニット３０は、電源装置１５内で最も寿命が短く経時変化する部品である平滑コンデンサＣ１〜Ｃ６の１つ（Ｃ１）に対して取り付けているため、該平滑コンデンサＣ１への通電時間に基づく電源装置１５の寿命判別が可能となる。
【００５０】
次に、図４に示す回路ブロック図と共に、前記ＲＦ−ＩＤユニット３０の回路構成について説明する。
ＲＦ−ＩＤユニット３０は、前記電源装置１５の平滑コンデンサＣ１に通電するＶｃｃとＧＮＤにそれぞれ接続する接続端子３１を備えており、該接続端子３１からの回路に次の各構成要素を接続して構成する。
【００５１】
電力切替回路３２は、ＲＦ−ＩＤユニット（通電時間計測装置）３０に電源装置１５からの電力が供給されているか否か、すなわちＶｃｃが規定電圧であるか否かを判断する。電源装置１５から電力が供給されている場合は、電源装置１５からの電力をＲＦ−ＩＤユニット３０内部に供給し、電源装置１５から電力が供給されていない場合は、コイル３５が受けた電磁波から電力変換回路３４で得た起電力を、ＲＦ−ＩＤユニット３０内部に供給できるように接続を切替える。
【００５２】
変調回路３３は、デジタルデータをアナログ信号に変調する。
電力変換回路３４は、コイル３５に印加された電磁波を電力に変換する。
コイル３５は、外部装置（後述する質問機５０等）と電磁波による通信を行う。
【００５３】
復調回路３６は、アナログ信号をデジタルデータに復調する。
クロック３７は、通電時間を計測するための基準クロックを発生する。処理回路（ＣＰＵ）３９の動作用タイミングを決めるクロックとして、処理回路３９にクロックを供給する。なお、処理回路３９は、クロック３７とは別途のクロックで動かしても良い。
【００５４】
カウンタ３８は、クロック３７からのパルス数を数える。なお、この機能は処理回路３９で実現しても良い。この場合、クロック３７からの信号数を数える、あるいは、処理回路３９内部でソフトウェア（プログラム）により時間計測すると良い。
【００５５】
処理回路３９は、電力が電源装置１５もしくは、電子部品（電装部品）に供給されている場合には、不揮発性メモリ４０に格納されている通電時間を読み込み、ある一定時間通電状態が継続された後、読み込んだ通電時間に経過時間を加算し、その結果を不揮発性メモリに格納する。電磁波による外部からの通信があった場合は、電磁波に含まれている処理命令に従って動作する。
不揮発性メモリ４０は、処理回路３９での処理結果を格納する。また、処理回路３９の動作手順（プログラム）を格納している。
【００５６】
以上の構成により、ＲＦ−ＩＤユニット３０は、後にリサイクル可能か寿命を判定するために、接続端子３１が接続されている電子部品（平滑コンデンサＣ１）に対する通電時間を計測し、不揮発性メモリ４０に蓄積しておくことができる。蓄積した通電時間は、電磁波による無線通信で外部装置に送信することができる。
【００５７】
また、不揮発性メモリ４０に通電時間を蓄積することで、ＲＦ−ＩＤユニット３０に対する電源供給がなくなった場合でもデータ消失を防止することができる。
【００５８】
次に、図５に示すデータ格納イメージ図、および図６に示す処理フロー図と共に、ＲＦ−ＩＤユニット３０の処理回路３９の動作である通電時間蓄積処理について説明する。
不揮発性メモリ４０は、図５に示すように１〜Ｍまでの複数の区画（メモリ領域）に区分けされている。
【００５９】
各区画は、適宜のビット単位（例えば８ビットで１区画）で分けられており、最先のビット部分に近い区画から順に、通電時間を格納できるように構成している。
【００６０】
図６の処理フロー図に示すように、電源装置１５に通電されて平滑コンデンサＣ１（図３）に通電されると、ＲＦ−ＩＤユニット３０にも通電されて処理を開始する。
【００６１】
処理回路３９は、不揮発性メモリ４０にアクセスして、通電時間蓄積プログラムを起動し、最新のメモリデータ（例えば１７時間）を読み込む（ステップｎ１）。
【００６２】
ここで、前記通電時間蓄積プログラムは、通電時間データの読込処理と書込処理、書込み区画の変更処理、書込み区画の変更前の区画に対するロック処理を処理回路３９に実行させるプログラムであり、不揮発性メモリ４０に格納している。
【００６３】
前記メモリデータの読み込み処理は、例えば不揮発性メモリ４０の内部にＮ＋６番目の区画までデータが格納されていたとすると、Ｎ＋６番目の区画に格納している通電時間データを読み込む。
なお、Ｎ番目の区画には１ヶ月目のデータ（例えば２０日×８時間＝１６０時間等）を格納しており、Ｎ＋６番目の区画は７ヶ月目のデータに該当する。
【００６４】
処理回路３９は、クロック３７及びカウンタ３８で計測している時間が所定時間（例えば１時間）となるまで待機した後（ステップｎ２）、読み込んだＮ＋６番目の区画への最初の書き込みから、所定期間（例えば１ヶ月若しくは２０日等）が経過しているか確認する（ステップｎ３）。
【００６５】
所定期間が経過していた場合には、読み込んだ区画（この場合Ｎ＋６番目の区画）に書き込みができないように、書込禁止処理を実行する。これと共に、新規区画である次の区画（この場合Ｎ＋７番目の区画）に経過時間を格納する（ステップｎ４）。
【００６６】
前記ステップｎ３で所定期間が経過していなかった場合には、読み込んだメモリデータ（この場合は１７時間）に経過時間（すなわち１時間）を加算した合計時間（すなわち１８時間）を上書きし（ステップｎ５）、処理を終了する。
【００６７】
以上の動作により、積算して累積している通電時間は定期的に書き込み禁止区画となっていき、誤動作や不正処理によって、不揮発性メモリ４０に格納している通電時間が実際の値と大きく異なることを防止することができる。
【００６８】
すなわち、各区画に格納されている通電時間は、最小値及び最大値が決まっており（所定期間が２０日であれば０時間以上４８０時間以下）、その範囲外の値であれば誤りか不正であることが判定できる。また、その範囲内で不正変更があったとしても、その影響は無視できる程度（例えば寿命が３年であるのに対して誤差２０日）であり、書き込み禁止区画については不正更新することもできない。
【００６９】
ＲＦ−ＩＤユニット３０は電源装置１５に直接取り付けており、遊技機８にセットした最には遊技面の裏側に位置するため、遊技面の蓋部を開けない限り外部からＲＦ−ＩＤユニット３０にアクセスすることはできない。従って、通電時間が毎月不正更新されるような事態も回避することができる。
【００７０】
このようにして、電装基板の一種である電源装置１５の通電時間を安全に蓄積し、後のリサイクル可否の判断を適切に行うことができる。
【００７１】
次に、図７に示す処理フロー図と共に、蓄積した通電時間の送信処理について説明する。
ＲＦ−ＩＤユニット３０は、図８の（Ａ）の斜視図に示すように、小型ユニット化した形状に形成しており、（Ｂ）の斜視図に示すように電源装置１５に垂直に装着している。このように垂直に装着することにより、質問機５０からコイル３５（図４）に印加される電磁波を効率よく受信することができる。
【００７２】
なお、前記質問機５０は、電磁波をＲＦ−ＩＤユニット３０に印加して通電時間等を受信する処理を開始する処理開始ボタン（入力手段）５１、通電時間の総合計を表示する液晶パネル（表示手段）５２を備えている。該質問機５０の内部には、電磁波の送受信を行うアンテナコイル（通信手段）、寿命の残存時間がない場合にアラーム音を発生するスピーカ（報知手段）、プログラム等を格納する不揮発性メモリ（記憶手段）、及びこれらを制御するＣＰＵ（制御手段）を備えている。
【００７３】
質問機５０から電磁波が印加されると、該電磁波をＲＦ−ＩＤユニット３０のコイル３５が受信し（ステップｓ１）、電力変換回路３４で電力に変換する（ステップｓ２）。
【００７４】
変換して得た電力によってＲＦ−ＩＤユニット３０の処理回路３９が起動し、コイル３５を介して受信した信号が規定に従ったデータ送信要求信号か否かを判定する（ステップｓ３）。
【００７５】
規定に従ったデータ送信要求信号であれば、処理回路３９は不揮発性メモリ４０の各区画から全ての通電時間を読出し、全通電時間とＲＦ−ＩＤユニット３０のＩＤとを、コイル３５を介して送信する（ステップｓ４）。
【００７６】
前記ステップｓ３で受信した信号が規定外であった場合には、応答を行わず処理を終了する（ステップｓ５）。
【００７７】
以上の動作により、電源装置１５に電力供給していなくても、ＲＦ−ＩＤユニットは質問機５０からの電磁波の印加により電力変換回路３４で起電力を得、通電時間を質問機５０に送信することができ、質問機５０により場所を選ばず電源装置１５の寿命を判別することが可能となる。
【００７８】
このように寿命を判別して電源装置１５等の電子装置をリサイクル利用することにより、遊技面を変更するマイナーチェンジや本体枠を変更するフルモデルチェンジ等、適宜入れ替えが行われるライフサイクルの短い遊技機のコストダウンを図ることができる。
【００７９】
また、無線通信で通電時間が取得することができるため、接点不良がなく信頼性の高いデータを取得することができる。
【００８０】
また、電源装置１５は、プリント基板１５ｂ（図８の（Ｂ））上に電子部品が高密度に実装されて小型化され、短絡事故、感電防止、不正行為防止のため、ＲＦ−ＩＤユニット３０を含めて電子装置を底面開放のボックス状の透明カバー（保護部材）１５ａ（図８の（Ｂ））で保護している。これに対して、図示するように透明カバー１５ａの外から無線通信して通電時間を取得することができる。
【００８１】
また、電源装置１５は、他の電装基板（例えば遊技用基板等）に比べて温度上昇の割合が大きいが、この電源装置１５の平滑コンデンサＣ１の通電時間を取得することで、電装基板の中で最も寿命の短い電源装置１５の残り寿命を知ることができる。
【００８２】
また、通電時間の計測対象を、仕様上の寿命に加えて周囲温度等を考慮して平滑コンデンサＣ１に決定していることで、電源装置１５に対して精度の高い寿命判定を行うことができる。
【００８３】
また、遊技機８が解体されて電源装置１５が単体となった場合でも、ＲＦ−ＩＤユニット３０を電源装置１５に直接接続しているため問題なく通電時間を取得することができる。
【００８４】
また、ＲＦ−ＩＤユニット３０の処理回路３９は、電力切替回路３２によって電力変換回路３４が電力供給している場合のみ通電時間の送信処理を実行する構成となり、通電時間が不正に取得されることを防止できる。
【００８５】
さらに、応答するのは予め定められたデータ送信要求信号を受信した場合に制限し、送信するデータもＩＤと通電時間に制限しているため、遊技機内のデータ流出や遊技機内のメモリ等、他の電子部品に不正アクセスすることを防止することができる。
【００８６】
なお、質問機５０で通電時間をＲＦ−ＩＤユニット３０から読み出す際には、通電時間が格納されている各区画の通電時間を受信して質問機５０側で加算しているが、ＲＦ−ＩＤユニット３０の処理回路３９で加算処理した合計値を質問機５０に送信する構成としても良い。
【００８７】
また、コイル３５に替えて接点端子を備え、質問機５０にもアンテナコイルに替えて接点端子を備えても良い。この場合、無線通信の変わりに接触通信を行い、ＲＦ−ＩＤユニット３０の動作電力を質問機５０から付与する構成としても良い。
【００８８】
また、ＲＦ−ＩＤユニット３０のＩＤは、電源装置１５等の電装基板の種別（タイプ）を判別可能なルールをつけて構成しても良い。この場合、質問機５０の不揮発性メモリ内に、電源装置１５等の電装基板毎のＩＤと寿命時間を記録しておけば、受信したタグＩＤと通電時間から、電装基板のタイプに応じた寿命を割り出すことができる。
【００８９】
また、ＲＦ−ＩＤユニット３０には予め電源装置１５の寿命時間を持たせ、通電時間を減算していく構成としても良い。この場合は、残寿命時間を質問機５０で受信することができ、質問機５０は電装基板のタイプにかかわらず同一処理で残寿命時間を取得することができる。
【００９０】
また、ＲＦ−ＩＤユニット３０は、無線通信を行うＲＦユニット、又は、集積回路（ＩＣ）を備えたＩＣユニットとして構成しても良い。
【００９１】
また、寿命をランプやブザーで報知する構成としても良い。この場合、残寿命期間に従って、例えば３／４以上の残寿命時間であればゆっくりとした点滅点灯又は断続音、１／２以上であれば少し早めの点滅点灯又は断続音、１／４以下であれば早い３回点滅点灯の繰り返し又は早い３回断続音の繰り返しとすると良い。さらに、不正を検出した場合には、連続点灯又は連続音とすると良い。
【００９２】
また、前述の実施形態体ではパチスロ機の電源装置１５をリサイクル対象としたが、パチンコ機の電源装置１５としても良い。
また、パチンコ機やパチスロ機といった遊技機８で、電源装置１５以外の電子装置をリサイクル対象とし、該電子装置にＲＦ−ＩＤユニット３０を装着しても良く、複数の電子装置（電源装置１５を含む）にＲＦ−ＩＤユニット３０を装着しても良い。
【００９３】
この発明の構成と、上述の実施形態との対応において、
この発明の電子装置、電装基板、電子部品、及び遊技機用電子装置は、実施形態の電源装置１５に対応し、
以下同様に、
電子部品通電時間出力装置は、ＲＦ−ＩＤユニット３０に対応し、
接続手段は、接続端子３１に対応し、
通信手段及び無線通信手段は、コイル３５に対応し、
計測手段は、クロック３７、カウンタ３８に対応し、
制御手段は、処理回路３９に対応し、
計測情報保護手段は、ステップｎ４を実行する処理回路３９に対応し、
記憶手段は、不揮発性メモリ４０に対応し、
所定部位及び電子部品の電源線は、平滑コンデンサＣ１の電源ラインに対応し、所定情報及び情報種別は、通電時間とＩＤに対応し、
計測情報は、通電時間に対応し、
送信処理は、ステップｓ４に対応するも、
この発明は、上述の実施形態の構成のみに限定されるものではなく、多くの実施の形態を得ることができる。
【図面の簡単な説明】
【図１】遊技システムのシステム構成図。
【図２】遊技機のブロック図。
【図３】電源装置の回路図。
【図４】ＲＦ−ＩＤユニットの回路ブロック図。
【図５】データ格納イメージ図。
【図６】ＲＦ−ＩＤユニットの処理回路の動作を示す処理フロー図。
【図７】ＲＦ−ＩＤユニットの処理回路の動作を示す処理フロー図。
【図８】ＲＦ−ＩＤユニットの電源装置への取り付け説明図。
【符号の説明】
８…遊技機
１５…電源装置
３０…ＲＦ−ＩＤユニット
３１…接続端子
３５…コイル
３７…クロック
３８…カウンタ
３９…処理回路
４０…不揮発性メモリ
５０…質問機
【図１】
2004261268.tif 000003
【図２】
2004261268.tif 000004
【図３】
2004261268.tif 000005
【図４】
2004261268.tif 000006
【図５】
2004261268.tif 000007
【図６】
2004261268.tif 000008
【図７】
2004261268.tif 000009
【図８】
2004261268.tif 000010